(57)【特許請求の範囲】
【請求項１】
周波数優先度を設定する方法であって、
ユーザ装置（ＵＥ）が、マルチメディア・ブロードキャスト・マルチキャスト・サービス（ＭＢＭＳ）セルが属する基地局によってブロードキャストされる、前記ＭＢＭＳセルのサービス・エリアのサービス・エリア識別情報リストを受信するステップと、
前記ＵＥが、前記サービス・エリア識別情報リストが、前記ＵＥが受信しているか、または関心のあるＭＢＭＳサービスに対応するサービス・エリア識別情報を備えるかどうかを判断するステップと、
前記サービス・エリア識別情報リストが、前記ＵＥが受信しているか、または関心のある前記ＭＢＭＳサービスに対応する前記サービス・エリア識別情報を備えている場合、前記ＵＥが、前記ＭＢＭＳセルの周波数のセル再選択優先度を最高に設定するステップとを備え、
前記サービス・エリア識別情報は、前記ＭＢＭＳサービスをブロードキャストするサービス・エリアを識別するのに利用され、前記サービス・エリアは複数のマルチメディア・ブロードキャスト・マルチキャスト・サービス単一周波数ネットワーク（ＭＢＳＦＮ）エリアを含む、方法。
【請求項２】
前記ＵＥが、前記ＭＢＭＳセルの前記周波数の前記セル再選択優先度を最高に設定する前記ステップは、前記ＭＢＭＳセルの信号が、閾値より良好であるか、または前記ＭＢＭＳサービスが開始された場合に実行される、請求項１に記載の方法。
【請求項３】
前記ＭＢＭＳセルが、前記ＵＥのサービング・セルの隣接セルである場合、前記方法はさらに、
前記ＵＥが、前記ＭＢＭＳセルのマルチキャスト制御チャネル（ＭＣＣＨ）変更通知のコンフィギュレーション情報が変更されたことを示す指示を受信するステップであって、前記指示は、前記ＭＢＭＳセルが属する前記基地局によって、前記ＭＢＭＳセルが属する前記基地局と、前記ＵＥの前記サービング・セルが属する基地局との間のインターフェースを通じて送信される、受信するステップと、
前記ＵＥが、前記ＭＢＭＳセルの前記ＭＣＣＨ変更通知の前記コンフィギュレーション情報が変更されたことを示す前記指示に従って、前記ＭＢＭＳセルの前記ＭＣＣＨ変更通知の前記コンフィギュレーション情報を読み取るステップと、
前記ＵＥが、前記ＭＢＭＳセルの前記ＭＣＣＨ変更通知の前記コンフィギュレーション情報に従って、前記ＭＢＭＳセルの物理ダウンリンク制御チャネル（ＰＤＣＣＨ）において前記ＭＣＣＨ変更通知を監視するステップと、
前記ＭＢＭＳセルの前記ＭＣＣＨ変更通知が検出された場合、前記ＵＥが、前記ＭＢＭＳセルの前記ＭＣＣＨを読み込んで、前記ＭＢＭＳサービスがブロードキャスト開始されるかどうかを判断するステップとを備える、請求項２に記載の方法。
【請求項４】
前記ＭＢＭＳセルが属する前記基地局と、前記ＵＥの前記サービング・セルが属する前記基地局との間の前記インターフェースは、Ｘ２インターフェースである、請求項３に記載の方法。
【請求項５】
前記ＭＢＭＳセルが、前記ＵＥのサービング・セルの隣接セルである場合、前記方法はさらに、
前記ＵＥが、前記サービング・セルが属する基地局によってブロードキャストされる、前記ＭＢＭＳセルのマルチキャスト制御チャネル（ＭＣＣＨ）変更通知のコンフィギュレーション情報を取得するステップと、
前記ＵＥが、前記ＭＢＭＳセルの前記ＭＣＣＨ変更通知の前記コンフィギュレーション情報に従って、前記サービング・セルの物理ダウンリンク制御チャネル（ＰＤＣＣＨ）においてブロードキャストされる、前記ＭＢＭＳセルの前記ＭＣＣＨ変更通知を監視し、前記ＭＢＭＳセルの前記ＭＣＣＨが変更されたかどうかを判断するステップと、
前記ＭＢＭＳセルの前記ＭＣＣＨが変更されたと判断した場合、前記ＵＥが、前記ＭＢＭＳセルの前記検出されたＭＣＣＨ変更通知に従って、前記ＭＢＭＳセルの前記ＭＣＣＨを読み取り、前記ＭＢＭＳサービスがブロードキャスト開始されるかどうかを判断するステップとを備える、請求項２に記載の方法。
【請求項６】
ユーザ装置（ＵＥ）であって、
マルチメディア・ブロードキャスト・マルチキャスト・サービス（ＭＢＭＳ）セルが属する基地局によってブロードキャストされる、前記ＭＢＭＳセルのサービス・エリアのサービス・エリア識別情報リストを受信するよう構成される、サービス・エリア識別情報リスト受信ユニットと、
前記ＵＥが受信しているか、または関心のあるＭＢＭＳサービスのサービス・エリア識別情報を、前記サービス・エリア識別情報リストが備えているかどうかを判断するよう構成される、判定ユニットと、
前記サービス・エリア識別情報リストが、前記ＵＥが受信しているか、または関心のある前記ＭＢＭＳサービスに対応するサービス・エリア識別情報を備えている場合、前記ＭＢＭＳセルの周波数のセル再選択優先度を最高に設定するよう構成される、設定ユニットとを備え、
前記サービス・エリア識別情報は、前記ＭＢＭＳサービスをブロードキャストするサービス・エリアを識別するのに利用され、前記サービス・エリアは複数のマルチメディア・ブロードキャスト・マルチキャスト・サービス単一周波数ネットワーク（ＭＢＳＦＮ）エリアを含む、ユーザ装置。
【請求項７】
前記設定ユニットはさらに、前記ＭＢＭＳセルの信号が閾値より良好である場合、または、前記ＭＢＭＳサービスが開始される場合、前記ＭＢＭＳセルの前記周波数の前記セル再選択優先度を最高に設定するよう構成される、請求項６に記載のＵＥ。
【請求項８】
前記ＭＢＭＳセルが、前記ＵＥのサービング・セルの隣接セルである場合、前記ＵＥはさらに、
前記ＭＢＭＳセルのＭＣＣＨ変更通知のコンフィギュレーション情報が変更されたことを示す指示を受信するよう構成される受信ユニットであって、前記指示は、前記ＭＢＭＳセルが属する前記基地局によって、前記ＭＢＭＳセルが属する前記基地局と、前記ＵＥの前記サービング・セルが属する基地局との間のインターフェースを通じて送信される、受信ユニットと、
前記ＭＢＭＳセルの前記ＭＣＣＨ変更通知の前記コンフィギュレーション情報が変更されたことを示す前記指示に従って、前記ＭＢＭＳセルの前記ＭＣＣＨ変更通知の前記コンフィギュレーション情報を読み取るよう構成される、読取ユニットと、
前記ＭＢＭＳセルの前記ＭＣＣＨ変更通知の前記コンフィギュレーション情報に従って、前記ＭＢＭＳセルの物理ダウンリンク制御チャネル（ＰＤＣＣＨ）においてＭＣＣＨ変更通知を監視するよう構成される、監視ユニットと、
前記ＭＢＭＳセルの前記ＭＣＣＨ変更通知が検出された場合、前記ＭＢＭＳセルの前記ＭＣＣＨを読み取り、前記ＭＢＭＳサービスがブロードキャスト開始されるかどうかを判断するよう構成される、判断ユニットとを備える、請求項７に記載のＵＥ。
【請求項９】
前記ＭＢＭＳセルが、前記ＵＥのサービング・セルの隣接セルである場合、前記ＵＥはさらに、
前記ＵＥの前記サービング・セルが属する基地局によってブロードキャストされる、前記ＭＢＭＳセルのＭＣＣＨ変更通知のコンフィギュレーション情報を受信するよう構成される、受信ユニットと、
前記ＭＢＭＳセルの前記ＭＣＣＨ変更通知の前記コンフィギュレーション情報に従って、前記サービング・セルの物理ダウンリンク制御チャネル（ＰＤＣＣＨ）においてブロードキャストされる、前記ＭＢＭＳセルの前記ＭＣＣＨ変更通知を監視し、前記ＭＢＭＳセルの前記ＭＣＣＨが変更されたかどうかを判断するよう構成される、第１の判断ユニットと、
前記ＭＢＭＳセルの前記ＭＣＣＨが変更されたと判断した場合、前記ＭＢＭＳセルの前記検出されたＭＣＣＨ変更通知に従って、前記ＭＢＭＳセルの前記ＭＣＣＨを読み取り、前記ＭＢＭＳサービスがブロードキャスト開始されるかどうかを判断するよう構成される、第２の判断ユニットとを備える、請求項７に記載のＵＥ。
【請求項１０】
ユーザ装置（ＵＥ）の周波数優先度を設定する方法であって、
ＭＢＭＳセルが属する基地局が、前記ＭＢＭＳセルのサービス・エリアのサービス・エリア識別情報リストを、ＵＥが前記サービス・エリア識別情報リストを受信するようにブロードキャストするステップと、前記サービス・エリア識別情報リストが、前記ＵＥが受信しているか、または関心のあるＭＢＭＳサービスに対応するサービス・エリア識別情報を備える場合、前記ＭＢＭＳセルの周波数のセル再選択優先度を最高に設定するステップとを備え、
前記サービス・エリア識別情報は、前記ＭＢＭＳサービスをブロードキャストするサービス・エリアを識別するのに利用され、前記サービス・エリアは複数のマルチメディア・ブロードキャスト・マルチキャスト・サービス単一周波数ネットワーク（ＭＢＳＦＮ）エリアを含む、方法。
【請求項１１】
基地局であって、
前記基地局のマルチメディア・ブロードキャスト・マルチキャスト・サービス（ＭＢＭＳ）セルのサービス・エリアのサービス・エリア識別情報リストをブロードキャストするよう構成される、ブロードキャスティング・ユニットを備え、前記ＵＥが前記サービス・エリア識別情報を受信した後、前記ＵＥが受信しているか、または関心のあるＭＢＭＳサービスに対応するサービス・エリア識別情報を前記サービス・エリア識別情報リストが備えると前記ＵＥが判断した場合、前記サービス・エリア識別情報リストは、ＵＥが前記ＭＢＭＳセルの周波数のセル再選択優先度を最高に設定するために使用され、
前記サービス・エリア識別情報は、前記ＭＢＭＳサービスをブロードキャストするサービス・エリアを識別するのに利用され、前記サービス・エリアは複数のマルチメディア・ブロードキャスト・マルチキャスト・サービス単一周波数ネットワーク（ＭＢＳＦＮ）エリアを含む、基地局。
【請求項１２】
プログラムが記録されたコンピュータ読取り可能な記憶媒体であって、前記プログラムはコンピュータに請求項１から５のいずれか一項に記載の方法を実行させる記憶媒体。
【請求項１３】
プログラムが記録されたコンピュータ読取り可能な記憶媒体であって、前記プログラムはコンピュータに請求項１０に記載の方法を実行させる記憶媒体。
【発明の詳細な説明】
【技術分野】
【０００１】
本発明は、通信ネットワークに関し、特に、マルチメディア・ブロードキャスト・マルチキャスト・サービスに関する。
【背景技術】
【０００２】
マルチメディア・ブロードキャスト・マルチキャスト・サービス（ＭＢＭＳ、Ｍｕｌｔｉｍｅｄｉａ  Ｂｒｏａｄｃａｓｔ  Ｍｕｌｔｉｃａｓｔ  Ｓｅｒｖｉｃｅ）は、第３世代パートナーシップ・プロジェクト（３ＧＰＰ）サービスの開発における重要なコンテンツの１つである。ＭＢＭＳでは、ネットワークは、同じマルチメディア・データを、ブロードキャスト・モードまたはマルチキャスト・モードでネットワーク上の複数のモバイル端末に送信することができる。単一ユーザ伝送モードと比較すると、ＭＢＭＳは、システムのエア・インターフェース資源を大幅に節約する。最近策定されたロング・ターム・エボリューション（ＬＴＥ）ＭＢＭＳ  Ｒ９プロトコルによれば、ＭＢＭＳサービスは、マルチメディア・ブロードキャスト・マルチキャスト・サービス単一周波数ネットワーク（ＭＢＳＦＮ、Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）にわたって伝送する。ＭＢＭＳ伝送モードでは、ＭＢＭＳサービスは、同じ周波数で、複数のセルで、同時に、同期して伝送される。この伝送モードは、周波数資源を効果的に節約し、スペクトル使用率を改善し、カバー率を向上する。
【０００３】
図１は、Ｅ−ＵＴＲＡ側でのＭＢＭＳの論理アーキテクチャを示す。ＭＢＭＳサービス制御シグナリングは、ＭＭＥ（モビリティ管理エンティティ）によって、ｅＮＢに、Ｍ３インターフェースおよびＭ２インターフェースを介して伝送され、ＭＢＭＳサービス・セッションをセットアップし、資源を同期的に割り当てる。ＭＢＭＳサービス・ユーザ・プレーン・データは、ＭＢＭＳ  ＧＷ（ゲートウェイ）によって、ｅＮＢに、Ｍ１インターフェースを介して伝送され、ユーザ・プレーン・データの同期伝送は、同期プロトコルで実現される。
【０００４】
マルチセル／マルチキャスト調整エンティティ（ＭＣＥ、ｍｕｌｔｉ−ｃｅｌｌ／ｍｕｌｔｉｃａｓｔ  ｃｏｏｒｄｉｎａｔｉｏｎ  ｅｎｔｉｔｙ）は、論理エンティティであり、ＭＢＳＦＮ伝送で使用される複数のＭＢＳＦＮエリア（ＭＢＳＦＮ  Ａｒｅａ）と共に構成することができ、ＭＢＳＦＮエリア内のマルチセル伝送のために、すべてのｅｖｏｌｖｅｄ  Ｎｏｄｅ  Ｂ（ｅＮＢ）に対して、無線資源を割り当てることができる。１つのＭＢＳＦＮエリアには、複数のｅＮＢ（複数のセル）が含まれる可能性がある。同じＭＢＳＦＮエリア内のすべてのセルは、同期モードで、同じコンテンツをブロードキャストする。各ＭＢＭＳサービスは、特定のサービス・エリア（Ｓｅｒｖｉｃｅ  Ａｒｅａ）内でブロードキャストされ、１つのサービス・エリアは、複数のＭＢＳＦＮエリア、すなわち、複数のセルを含むことができる。
【０００５】
ＭＢＭＳサービスをブロードキャストする処理は、次の通りである。ＭＢＭＳサービスが、エア・インターフェースでブロードキャストされる前（おそらく、数時間前）に、ＵＥ（ユーザ装置）は、アプリケーション層からサービス記述を受信する。ここで、サービス記述は、ブロードキャストされるＭＢＭＳサービスおよびサービス開始時間のリストを含む。サービスが正式にブロードキャストされる前（数秒間）に、セルは、ＰＤＣＣＨ（ｐｈｙｓｉｃａｌ  ｄｏｗｎｌｉｎｋ  ｃｏｎｔｒｏｌ  ｃｈａｎｎｅｌ、物理ダウンリンク制御チャネル）チャネルにおいて、ＭＣＣＨ（Ｍｕｌｔｉｃａｓｔ  Ｃｏｎｔｒｏｌ  Ｃｈａｎｎｅｌ、マルチキャスト制御チャネル）変更通知（ｃｈａｎｇｅ  ｎｏｔｉｆｉｃａｔｉｏｎ）をブロードキャストする。通知を送信する時間についてのコンフィギュレーションコンフィギュレーション情報は、ＳＩＢ（ｓｙｓｔｅｍ  ｉｎｆｏｒｍａｔｉｏｎ  ｂｌｏｃｋ、システム情報ブロック）１３においてブロードキャストされる。ＵＥは、ＳＩＢ１３におけるコンフィギュレーションコンフィギュレーション情報に従ってＰＤＣＣＨを監視し、ＭＣＣＨ変更通知（ｃｈａｎｇｅ  ｎｏｔｉｆｉｃａｔｉｏｎ）を読み取ると、ＵＥは、ＭＣＣＨからＭＢＭＳサービスの制御情報を読み取り、どのサービスがブロードキャスト開始されるかを確認する。
【０００６】
ＵＥに対して、ＵＥがＭＢＭＳサービスを受信しているか、またはＭＢＭＳサービスに関心がある場合、ベスト・エフォートは、ＵＥが、対応するサービスを提供できるセルにキャンプオン又は在圏又は在圏することを確実にすることであり、それにより、ユーザは、より良好な体感を享受できる。
【０００７】
したがって、先行技術において、ＭＢＭＳサービスを受信している、およびＭＢＭＳサービスに関心がある、アイドル状態のＵＥは、ＭＢＭＳの周波数の優先度を最高に設定する、すなわち、ＵＥは、セル再選択の場合、ＭＢＭＳセルの周波数に最高の優先度を与える。
【発明の概要】
【発明が解決しようとする課題】
【０００８】
本発明の目的の１つは、アイドル状態、および接続状態のＵＥが、そのＵＥが受信しているか、または関心のあるサービスを提供しているＭＢＳＦＮセルにキャンプオン又は在圏又は在圏することを可能にすることを確実にすることである。
【０００９】
本発明の他の目的は、ＵＥが、そのＵＥが受信しているか、または関心のあるサービスを、そのＵＥの周りで提供することが可能なセルがあるかどうかを識別することを可能にすることを確実にすることである。
【００１０】
本発明の他の目的は、ＵＥが関心のあるサービスが、いつブロードキャスト開始されるかを確認することを可能にすることを確実にすることである。
【００１１】
本発明の他の目的は、どの隣接セルがＭＢＭＳセルであるか、利用可能であるなら、これらのＭＢＭＳセルが、何のサービスをブロードキャストしているかを、セルが確認することを可能にすることを確実にすることである。
【課題を解決するための手段】
【００１２】
したがって、本発明の第１の態様は、ブロードキャスト・マルチキャスト・セルに再選択するための方法に関する。本方法は、以下のステップを含む。すなわち、マルチメディア・ブロードキャスト・マルチキャスト・サービスＭＢＭＳセルが属する基地局によってブロードキャストされる、ＭＢＭＳが属するサービス・エリアのサービス・エリア識別情報リストを受信することと、ＵＥが受信しているか、または関心のあるＭＢＭＳサービスに対応するサービス・エリア識別情報を、サービス・エリア識別情報リストが備えているかどうかを判断することと、サービス・エリア識別情報リストが、ＵＥが受信しているか、または関心のあるＭＢＭＳサービスに対応するサービス・エリア識別情報を備えている場合、ＭＢＭＳセルの周波数のセル再選択優先度を最高に設定することとを含む。本発明の第２の態様は、ユーザ装置ＵＥに関する。ＵＥは、ＭＢＭＳセルが属する基地局によってブロードキャストされる、ＭＢＭＳセルが属するサービス・エリアのサービス・エリア識別情報リストを受信するよう構成された、サービス・エリア識別情報リスト受信ユニットと、ＵＥが受信しているか、または関心のあるＭＢＭＳサービスに対応するサービス・エリア識別情報を、サービス・エリア識別情報リストが備えているかどうかを判断するよう構成された、判定ユニットと、サービス・エリア識別情報リストが、ＵＥが受信しているか、または関心のあるＭＢＭＳサービスに対応するサービス・エリア識別情報を備えている場合、ＭＢＭＳセルの周波数のセル再選択優先度を最高に設定するよう構成された、設定ユニットとを含む。
【００１３】
本発明の第３の態様は、ＵＥに対する周波数優先度の設定のための方法に関する。本方法は、以下のステップを含む。すなわち、ＭＢＭＳセルが属する基地局によって、ＵＥがサービス・エリア識別情報リストを受信するように、ＭＢＭＳセルが属するサービス・エリアのサービス・エリア識別情報リストをブロードキャストすることと、サービス・エリア識別情報リストが、ＵＥが受信しているか、または関心のあるＭＢＭＳサービスに対応するサービス・エリア識別情報を備える場合、ＭＢＭＳセルの周波数のセル再選択優先度を最高に設定することとを含む。
【００１４】
本発明の第４の態様は、基地局に関する。基地局は、ＵＥがサービス・エリア識別情報リストを受信するよう、基地局のＭＢＭＳセルが属するサービス・エリアのサービス・エリア識別情報リストをブロードキャストし、サービス・エリア識別情報リストが、ＵＥが受信しているか、または関心のあるＭＢＭＳサービスに対応するサービス・エリア識別情報を備える場合、ＭＢＭＳセルの周波数のセル再選択優先度を最高に設定するよう構成された、ブロードキャスティング・ユニットを備える。
【００１５】
本発明の第５の態様は、通信システムに関し、通信システムは、ＵＥおよび基地局を備える。
【００１６】
本発明の第６の態様は、ブロードキャスト・マルチキャスト・セルにハンドオーバする方法に関する。本方法は、以下のステップを含む。すなわち、ＭＢＭＳセルが属する基地局によって、ＭＢＭＳサービスのサービス・エリア識別情報と、マルチセル／マルチキャスト調整エンティティＭＣＥからのＭＢＭＳサービスのサービス識別情報とを受信することと、ＭＢＭＳセルが属する基地局によって、ＭＢＭＳサービスのサービス識別情報を、ＭＢＭＳセルの非ＭＢＭＳ隣接セルまたは、ＭＢＭＳのサービス・エリアに属さない隣接セルに送信することとを含む。その結果、ＵＥのサービング・セルが属する基地局が、ＭＢＭＳサービスのサービス識別情報を受信し、ＭＢＭＳサービスのサービス識別情報が、ＵＥが受信しているか、またが関心のあるＭＢＭＳサービスに属していると判断した場合、ＵＥのサービング・セルが属する基地局は、ＵＥを、ＭＢＭＳセルにハンドオーバする。
【００１７】
本発明の第７の態様は、基地局に関する。基地局は、ＭＣＥからのＭＢＭＳサービスのサービス・エリア識別情報と、ＭＢＭＳサービスのサービス識別情報とを受信するよう構成された受信ユニットと、ＭＢＭＳサービスのサービス識別情報を、ＭＢＭＳセルの非ＭＢＭＳ隣接セル、または、ＭＢＭＳサービスのサービス・エリアに属さない隣接セルに送信するよう構成された送信ユニットとを含む。その結果、ＵＥのサービング・セルが属する基地局が、ＭＢＭＳサービスのサービス識別情報を受信し、ＭＢＭＳサービスのサービス識別情報が、ＵＥが受信しているか、または関心のあるＭＢＭＳサービスに属している場合、ＵＥのサービング・セルが属する基地局は、ＵＥを、ＭＢＭＳセルにハンドオーバする。
【００１８】
本発明の第８の態様は、ブロードキャスト・マルチキャスト・セルにＵＥをハンドオーバする方法に関する。本方法は、以下のステップを含む。すなわち、ＵＥのサービング・セルが属する基地局によって、ＵＥのサービング・セルの隣接セルが属する基地局から、ＭＢＭＳサービスのサービス識別情報を受信することを含み、ここで、ＵＥのサービング・セルは、非ＭＢＭＳセル、または、ＭＢＭＳサービスのサービス・エリアに属さないＭＢＭＳセルであり、本方法はさらに、ＵＥのサービング・セルが属する基地局によって、ＭＢＭＳサービスのサービス識別情報に従って、ＵＥが受信しているか、または関心のあるＭＢＭＳサービスに、ＭＢＭＳサービスが属するかどうかを判断することと、ＵＥのサービング・セルが属する基地局によって、ＵＥが受信しているか、または関心のあるＭＢＭＳサービスにＭＢＭＳサービスが属する場合、ＵＥをＭＢＭＳセルにハンドオーバすることとを含む。
【００１９】
本発明の第１０の態様は、基地局に関する。基地局は、ＵＥのサービング・セルの隣接セルが属する基地局から、ＭＢＭＳサービスのサービス識別情報を受信するよう構成された受信ユニットを含み、ここで、ＵＥのサービング・セルは、非ＭＢＭＳセル、または、ＭＢＭＳサービスのサービス・エリアに属さないＭＢＭＳセルであり、本基地局はさらに、ＭＢＭＳサービスのサービス識別情報に従って、ＵＥが受信しているか、または関心のあるＭＢＭＳサービスに、ＭＢＭＳサービスが属するかどうかを判断するよう構成された判定ユニットと、ＵＥが受信しているか、または関心のあるＭＢＭＳサービスにＭＢＭＳサービスが属する場合、ＵＥをＭＢＭＳセルにハンドオーバするよう構成されたハンドオーバ・ユニットとを含む。
【００２０】
本発明の第１１の態様は、ＵＥが受信しているか、または関心のあるＭＢＭＳサービスがブロードキャスト開始されるかどうかを判断する方法に関する。本方法は、以下のステップを含む。すなわち、ＭＢＭＳセルのＭＣＣＨ変更通知のコンフィギュレーション情報が変更された場合、ＭＢＭＳセルによって、ＭＢＭＳセルのＭＣＣＨ変更通知のコンフィギュレーション情報が変更されたことを示す指示を、隣接セルに送信することと、隣接セルによって、ＭＢＭＳセルのＭＣＣＨ変更通知のコンフィギュレーション情報が変更されたことを示す指示をブロードキャストすることと、隣接セルにキャンプオン又は在圏しているＵＥが、ＭＢＭＳセルのＭＣＣＨ変更通知のコンフィギュレーション情報が変更されたことを示す指示を受信した場合、ＵＥによって、ＭＢＭＳセルのＭＣＣＨ変更通知のコンフィギュレーション情報を読み取ることと、ＭＢＭＳセルのＭＣＣＨ変更通知のコンフィギュレーション情報に従って、ＭＢＭＳセルのＰＤＣＣＨチャネルにおいてＭＣＣＨ変更通知を監視することと、ＭＢＭＳセルのＭＣＣＨ変更通知が検出された場合、ＵＥが受信しているか、または関心のあるＭＢＭＳサービスがブロードキャスト開始されるかどうかを判断するために、ＭＢＭＳセルのＭＣＣＨを読み取ることとを含む。
【００２１】
本発明の第１２の態様は、ＵＥが受信しているか、または関心のあるＭＢＭＳサービスがブロードキャスト開始されるかどうかを判断する方法に関する。本方法は、ＭＢＭＳセルによって、ＭＢＭＳセルのＭＣＣＨ変更通知のコンフィギュレーション情報、およびＭＣＣＨ変更通知を、隣接セルに送信することと、隣接セルによって、ＭＢＭＳセルのＭＣＣＨ変更通知のコンフィギュレーション情報をブロードキャストし、ＭＢＭＳセルのＭＣＣＨ変更通知のコンフィギュレーション情報に従って、隣接セルのＰＤＤＣＨ内でＭＢＭＳセルのＭＣＣＨ変更通知をブロードキャストすることと、隣接セルにキャンプオン又は在圏しているＵＥによって、ＭＢＭＳセルのＭＣＣＨ変更通知のコンフィギュレーション情報を受信し、ＭＢＭＳセルのＭＣＣＨが変更されたかどうかを判断するために、ＭＢＭＳセルのＭＣＣＨ変更通知のコンフィギュレーション情報に従って、ＵＥがキャンプオン又は在圏するセル（すなわち、ＭＢＭＳセルの隣接セル）のＰＤＣＣＨにおいてブロードキャストされるＭＢＭＳセルのＭＣＣＨ変更通知を監視することと、ＭＢＭＳセルのＭＣＣＨが変更された場合、ＵＥが受信しているか、または関心のあるＭＢＭＳサービスがブロードキャスト開始されるかどうかを判断するために、ＭＢＭＳセルの検出されたＭＣＣＨ変更通知に従って、ＭＢＭＳセルのＭＣＣＨを読み取ることとを含む。
【００２２】
本発明の目的の１つは、アイドル状態、または接続状態のＵＥが、そのＵＥが受信している、または関心のあるサービスを提供しているＭＢＳＦＮセルにキャンプオン又は在圏することを可能にすることを確実にすることである。
【００２３】
以下は、添付図面を参照して、より詳細に、本発明の特定の実施態様の解決法を説明する。
【図面の簡単な説明】
【００２４】
【図１】Ｅ−ＵＴＲＡ側でのＭＢＭＳの論理構造である。
【図２】本発明の第１の実施形態による方法の模式的なフローチャートである。
【図３】本発明の第２の実施形態による方法の模式的なフローチャートである。
【図４】本発明の第３の実施形態による方法の模式的なフローチャートである。
【図５】本発明の第４の実施形態による方法の模式的なフローチャートである。
【図６】本発明の第５の実施形態によるＵＥのブロック図である。
【図７】本発明の第５の実施形態による基地局のブロック図である。
【図８】本発明の第７の実施形態による概略図である。
【図９】本発明の第８の実施形態による概略図である。
【図１０】本発明の第９の実施形態による概略図である。
【図１１】本発明の第１０の実施形態によるＵＥの概略図である。
【図１２】本発明の第１１の実施形態による概略図である。
【図１３】本発明の第１２の実施形態による基地局のブロック図である。
【図１４】本発明の第１３の実施形態による基地局のブロック図である。
【発明を実施するための形態】
【００２５】
以下の実施形態では、アイドル状態、または接続状態のＵＥが、そのＵＥが受信しているか、または関心のあるサービスを提供しているＭＢＳＦＮセルにキャンプオン又は在圏又は在圏することを可能にすることを確実にする方法を説明する。第１の実施形態から第１０の実施形態は、アイドル状態にあるＵＥに基づき、一方、第１１の実施形態から第１３の実施形態は、接続状態にあるＵＥに基づく。
【００２６】
図２は、本発明の第１の実施形態による方法の模式的なフローチャートである。
【００２７】
ステップ２１０では、ＭＢＭＳセル（任意のＭＢＭＳサービス・エリアに属するセル）は、ＭＢＭＳセルが属するサービス・エリアのサービス・エリア識別情報リストをブロードキャストする。
【００２８】
サービス・エリア識別情報リストは、ＭＢＭＳセルのシステム・メッセージを通じてブロードキャストすることができる。本明細書において、セルによって送受信される情報またはメッセージは、実際には、セルが属する基地局によって送受信される情報またはメッセージであることに留意されたい。
【００２９】
ステップ２２０では、ＵＥは、サービス・エリア識別情報リストを受信し、ＵＥが受信しているか、または関心のあるＭＢＭＳサービスに対応するサービス・エリア識別情報を、サービス・エリア識別情報リストが備えているかどうかを判断する。
【００３０】
このステップでは、ＵＥは、ＵＥが受信しているか、または関心のあるＭＢＭＳサービスが、ローカル・セル（ＵＥのサービング・セル）または隣接セル内でブロードキャストされている可能性があるかどうかを、ローカル・セルおよび隣接セルのシステム・メッセージを読み取り、システム・メッセージが、サービス・エリア識別情報リストを備えているかどうか、さらに、サービス・エリア識別情報リストが、ＵＥが関心のあるサービスに対応するサービス・エリア識別情報を備えるかどうかを判断することによって判断することができる。ＵＥは、事前にアプリケーション層からサービス記述を受信してもよく、この場合のサービス記述は、各ＭＢＭＳサービスに対応するサービス・エリア識別情報を示す。
【００３１】
サービング・セルまたは隣接セルが、ＵＥが受信しているか、または関心のあるＭＢＭＳサービスを提供することが可能である場合、ステップ２３０で、ＵＥは、ＭＢＭＳセルの周波数のセル再選択優先度を最高に設定することができる。
【００３２】
他の実施形態において、ＵＥが受信しているか、または関心のあるＭＢＭＳサービスを、サービング・セルまたは隣接セルが提供することが可能であると判断した場合、ＵＥは、ＭＢＭＳセルの周波数のセル再選択優先度を最高に設定することができ、または、ＵＥが受信しているか、または関心のあるＭＢＭＳサービスがブロードキャスト開始される場合のみ、ＭＢＭＳセルの周波数のセル再選択優先度を最高に設定することができることが理解されよう。当然、ＭＢＭＳセルの周波数のセル再選択優先度を最高に設定するステップはまた、ＭＢＭＳセルの信号が閾値よりも良好であるか、または閾値を超える場合、実行することができる。
【００３３】
ＵＥが、サービス・エリア識別情報リストを送信するＭＢＭＳセルにキャンプオン又は在圏又は在圏する（すなわち、ＭＢＭＳセルが、ＵＥのサービング・セルまたはローカル・セルである）場合、ＵＥは、ＭＢＭＳセルのＰＤＣＣＨチャネル内のＭＣＣＨ変更通知メッセージ（以下、ＭＣＣＨ変更通知と称する）を監視することができ、ＭＣＣＨ変更通知が検出された場合、ＭＣＣＨを読み取り、ＵＥが受信しているか、または関心のあるＭＢＭＳサービスがブロードキャスト開始されると判断することができる。しかしながら、サービス・エリア識別情報リストを送信するＭＢＭＳセルにＵＥがキャンプオン又は在圏又は在圏していない（すなわち、ＭＢＭＳセルが、ＵＥのサービング・セルの隣接セルである）場合、ＵＥは、ＭＢＭＳセルのＰＤＣＣＨチャネルを監視し続けることは困難である。この場合、以下の２つの方法を使用して、ＵＥが受信しているか、または関心のあるサービスが、ブロードキャスト開始されるかどうかを判断することができる。
【００３４】
セルＡがＭＢＭＳセルであり、セルＢがセルＡの隣接セルであり、ＵＥが、現在、セルＢにキャンプオン又は在圏すると仮定する。第１の例において、セルＡのＭＣＣＨ変更通知のコンフィギュレーション情報が変更された場合、セルＡは、セルＡのＭＣＣＨ変更通知のコンフィギュレーション情報が変更されたことを示す指示を、インターフェース・シグナリング（例えば、Ｘ２インターフェース・シグナリング）を通じて、セルＢに送信することができる。セルＡのＭＣＣＨ変更通知のコンフィギュレーション情報が変更されたことを示す指示を、セルＡが、セルＢ以外の隣接セルに送信することができることが理解されよう。指示を受信すると、セルＢは、その指示を、セルＢにキャンプオン又は在圏しているＵＥにブロードキャストすることができる。ＵＥが指示を受信した場合、ＵＥは、セルＡのＰＤＣＣＨチャネルにおいてＭＣＣＨ変更通知を監視することができ、ＭＣＣＨ変更通知を検出した場合、ＵＥは、ＭＣＣＨを読み取り、次いで、ＵＥが受信しているか、または関心のあるＭＢＭＳサービスのいずれがブロードキャスト開始されるかを判断することができる。
【００３５】
第２の例では、セルＡは、ＭＣＣＨ変更通知のコンフィギュレーション情報と、セルＡのＭＣＣＨ変更通知とを、Ｘ２インターフェース・シグナリングを通じて、セルＢに送信する。ＭＣＣＨ変更通知のコンフィギュレーション情報と、セルＡのＭＣＣＨ変更通知とを、セルＡが、セルＢ以外の隣接セルに送信することもできることが理解されよう。セルＢは、ＳＩＢ１３においてセルＡのＭＣＣＨ変更通知のコンフィギュレーション情報をブロードキャストすることができ、さらに、セルＢのＰＤＣＣＨチャネルにおいてセルＡのＭＣＣＨ変更通知をブロードキャストすることができる。セルＢにキャンプオン又は在圏するＵＥが、セルＢから、セルＡのＭＣＣＨ変更通知のコンフィギュレーション情報を受信した場合、そのコンフィギュレーション情報に従って、セルＢのＰＤＣＣＨチャネルにおいてセルＡのＭＣＣＨ変更通知を監視する場合、ＵＥは、セルＡのＭＣＣＨが変更されたかどうかを確認することができる。セルＡのＭＣＣＨが変更されたことを確認した場合、ＵＥは、セルＡの検出されたＭＣＣＨ変更通知に基づき、セルのＭＣＣＨを読み取り、ＵＥが受信しているか、または関心のあるＭＢＭＳサービスのいずれがブロードキャスト開始されるのかを確認する。
【００３６】
図３は、本発明の第２の実施形態による方法の模式的なフローチャートである。第２の実施形態のステップ３１０およびステップ３２０は、基本的に、第１の実施形態のステップ２１０およびステップ２２０と同じである。第２の実施形態は、ステップ３３０が第１の実施形態と異なる。すなわち、ＭＢＭＳセルが、ＵＥが受信しているか、または関心のあるＭＢＭＳサービスを提供することができる場合、ＵＥは、すぐにＭＢＭＳセルの周波数のセル再選択優先度を最高に設定することができる。
【００３７】
図４は、本発明の第３の実施形態による方法の模式的なフローチャートである。第１の実施形態に基づいて、ＵＥが受信しているか、または関心のあるＭＢＭＳサービスについてのＭＢＭＳセルの信号が、閾値より良好である場合のみ、ＵＥは、ＭＢＭＳセルの周波数のセル再選択優先度を最高に設定する。
【００３８】
具体的には、第３の実施形態のステップ４１０およびステップ４２０は、基本的に、第１の実施形態のステップ２１０およびステップ２２０と同じである。第３の実施形態は、後続ステップで、第１の実施形態と異なる。
【００３９】
ステップ４３０では、ＵＥは、ＵＥが受信しているか、または関心のあるＭＢＭＳサービスがブロードキャスト開始されるかどうかを判断する。判断方法は、第１の実施形態での方法と同じものとすることができる。ＵＥが受信しているか、または関心のあるＭＢＭＳサービスがブロードキャスト開始されると、ステップ４４０が実行される。
【００４０】
ステップ４４０では、ＵＥは、ＭＢＭＳセルの信号が、閾値より良好であるかどうかを判断する。ＭＢＭＳセルの信号が閾値より良好である場合、ステップ４５０では、ＵＥは、ＭＢＭＳセルの周波数のセル再選択優先度を最高に設定する。
【００４１】
当然、ステップ４３０およびステップ４４０のシーケンスは、本明細書では限定されない。
【００４２】
図５は、本発明の第４の実施形態による方法の模式的なフローチャートである。第２の実施形態に基づいて、ＭＢＭＳセルの信号が閾値より良好である場合のみ、ＵＥは、ＭＢＭＳセルの周波数のセル再選択優先度を最高に設定する。
【００４３】
具体的には、第４の実施形態のステップ５１０およびステップ５２０は、基本的に、第２の実施形態のステップ３１０およびステップ３２０と同じである。第４の実施形態は、後続ステップで、第２の実施形態と異なる。
【００４４】
ステップ５３０では、ＵＥは、ＭＢＭＳセルの信号が閾値より良好であるかどうかを判断する。ＭＢＭＳセルの信号が閾値より良好である場合、ステップ５４０では、ＵＥは、ＭＢＭＳセルの周波数のセル再選択優先度を最高に設定する。
【００４５】
図６は、本発明の第５の実施形態によるＵＥのブロック図である。図６に示すように、ＵＥは、ＭＢＭＳセルによってブロードキャストされる、ＭＢＭＳセルが属するサービス・エリアのサービス・エリア識別情報リストを受信するよう構成された、サービス・エリア識別情報リスト受信ユニット６１０と、ＵＥが受信しているか、または関心のあるＭＢＭＳサービスに対応するサービス・エリア識別情報を、サービス・エリア識別情報リストが備えているかどうかを判断するよう構成された、判定ユニット６２０と、サービス・エリア識別情報リストが、ＵＥが受信しているか、または関心のあるＭＢＭＳサービスに対応するサービス・エリア識別情報を備えている場合、ＭＢＭＳセルの周波数のセル再選択優先度を最高に設定するよう構成された、設定ユニット６３０とを含む。
【００４６】
例えば、設定ユニット６２０は、ＭＢＭＳセルの信号が閾値より良好である場合、または、ＵＥが受信しているか、または関心のあるＭＢＭＳサービスが開始された場合、ＭＢＭＳセルの周波数のセル再選択優先度を最高に設定するステップを実行する。当然、設定ユニット６２０はまた、サービス・エリア識別情報リストが、ＵＥが受信しているか、または関心のあるＭＢＭＳサービスに対応するサービス・エリア識別情報を備えると判定ユニット６２０が判断するとすぐに、ＭＢＭＳセルの周波数のセル再選択優先度を最高に設定することができる。
【００４７】
さらに、ＭＢＭＳセルが、ＵＥがキャンプオン又は在圏するセルである場合、ＵＥはさらに、ＭＢＭＳセルのＰＤＣＣＨにおけるＭＣＣＨ変更通知を監視するよう構成された、監視ユニットと、ＭＣＣＨ変更通知が検出された場合、ＭＣＣＨを読み取るよう構成された、読取ユニットと、読み取ったＭＣＣＨに従って、ＵＥが受信しているか、または関心のあるＭＢＭＳサービスがブロードキャスト開始されるかどうかを判断するよう構成された、判断ユニットとを備える。
【００４８】
さらに、ＭＢＭＳセルが、ＵＥのサービング・セルの隣接セルである場合、ＵＥはさらに、ＭＢＭＳセルが属する基地局によって、ＭＢＭＳセルが属する基地局と、ＵＥのサービング・セルが属する基地局との間のインターフェースを通じて送信された、ＭＢＭＳセルのＭＣＣＨ変更通知のコンフィギュレーション情報が変更されたことを示す指示を受信するよう構成された、受信ユニットと、ＭＢＭＳセルのＭＣＣＨ変更通知のコンフィギュレーション情報が変更されたことを示す指示に従って、ＭＢＭＳセルのＭＣＣＨ変更通知のコンフィギュレーション情報を読み取るよう構成された、読取ユニットと、ＭＢＭＳセルのＭＣＣＨ変更通知のコンフィギュレーション情報に従って、ＭＢＭＳセルのＰＤＣＣＨチャネル内のＭＣＣＨ変更通知を監視するよう構成された、監視ユニットと、ＭＢＭＳセルのＭＣＣＨ変更通知が検出された場合、ＭＢＭＳセルのＭＣＣＨを読み取り、それにより、ＭＢＭＳサービスがブロードキャスト開始されるかどうかを判断する、判断ユニットとを備える。
【００４９】
他の例において、ＭＢＭＳセルが、ＵＥのサービング・セルの隣接セルである場合、ＵＥはさらに、ＵＥのサービング・セルが属する基地局によってブロードキャストされた、ＭＢＭＳセルのＭＣＣＨ変更通知のコンフィギュレーション情報を取得するよう構成された、取得ユニットと、ＭＢＭＳセルのＭＣＣＨ変更通知のコンフィギュレーション情報に従って、サービング・セルのＰＤＣＣＨチャネルにおいてブロードキャストされる、ＭＢＭＳセルのＭＣＣＨ変更通知を監視し、ＭＢＭＳセルのＭＣＣＨが変更されたかどうかを判断する、第１の判断ユニットと、ＭＢＭＳセルのＭＣＣＨが変更されたと判断した場合、ＭＢＭＳセルの検出されたＭＣＣＨ変更通知に従って、ＭＢＭＳセルのＭＣＣＨを読み取り、ＭＢＭＳサービスがブロードキャスト開始されるかどうかを判断するよう構成された、第２の判断ユニットとを備える。ＵＥのサービング・セルが属する基地局は、ＭＢＭＳセルのＭＣＣＨ変更通知のコンフィギュレーション情報と、ＭＢＭＳセルのＭＣＣＨ変更通知とを、ＵＥのサービング・セルが属する基地局と、ＭＢＭＳセルが属する基地局との間のインターフェースを通じて受信し、ＭＢＭＳセルのＭＣＣＨ変更通知は、ＵＥのサービング・セルのＰＤＣＣＨチャネルを通じて、ＵＥにブロードキャストされる。このようにして、サービング・セルのＰＤＣＣＨチャネルを監視することによって、ＵＥは、隣接セルのＭＣＣＨが変更されたかどうかを確認することができ、さらに、隣接セルにおいてＭＢＭＳサービスがブロードキャスト開始されるかどうかを判断することができる。
【００５０】
本実施形態において、ＵＥは、図２に示した実施形態を実行するよう構成することができることが理解されよう。したがって、本実施形態で言及しない内容についての詳細に対し、図２に示した実施形態の説明を参照することができる。
【００５１】
図７は、本発明の第５の実施形態による基地局の概略構造図である。基地局７００は、ブロードキャスティング・ユニット７１０を備える。ブロードキャスティング・ユニット７１０は、基地局のＭＢＭＳセルが属するサービス・エリアのサービス・エリア識別情報リストをブロードキャストするよう構成され、それにより、ＵＥは、サービス・エリア識別情報リストを受信し、サービス・エリア識別情報リストが、ＵＥが受信しているか、または関心のあるＭＢＭＳサービスに対応するサービス・エリア識別情報を備えている場合、ＭＢＭＳセルの周波数のセル再選択優先度を最高に設定する。
【００５２】
さらに、ＭＢＭＳセルが、ＵＥのサービング・セルの隣接セルである場合、基地局７００はさらに、送信ユニットを備えることができる。送信ユニットは、ＭＢＭＳセルのＭＣＣＨ変更通知のコンフィギュレーション情報が変更されたことを示す指示を、ＵＥのサービング・セルが属する基地局に、基地局と、ＵＥのサービング・セルが属する基地局との間のインターフェースを通じて送信するよう構成される。それにより、ＵＥは、ＵＥのサービング・セルが属する基地局を通じて、ＭＢＭＳセルのＭＣＣＨ変更通知のコンフィギュレーション情報が変更されたことを示す指示を取得し、ＭＢＭＳセルのＭＣＣＨ変更通知のコンフィギュレーション情報が変更されたことを示す指示に従ってＭＢＭＳセルのＭＣＣＨ変更通知のコンフィギュレーション情報を読み取り、ＭＢＭＳセルのＭＣＣＨ変更通知のコンフィギュレーション情報に従ってＭＢＭＳセルのＰＤＣＣＨチャネルにおいてＭＣＣＨ変更通知を監視する。ＭＢＭＳセルのＭＣＣＨ変更通知が検出された場合、ＭＢＭＳセルのＭＣＣＨを読み取って、ＵＥが受信しているか、または関心のあるＭＢＭＳサービスがブロードキャスト開始されるかどうかを判断し、ＵＥが受信しているか、または関心のあるＭＢＭＳサービスがブロードキャスト開始されると判断した場合、ＵＥは、ＭＢＭＳセルの周波数のセル再選択優先度を最高に設定する。基地局７００と、ＵＥのサービング・セルが属する基地局との間のインターフェースは、Ｘ２インターフェースである。
【００５３】
他の例において、ＭＢＭＳセルがＵＥのサービング・セルの隣接セルである場合、基地局７００はさらに、送信ユニットを備えることができる。送信ユニットは、ＭＢＭＳセルのＭＣＣＨ変更通知のコンフィギュレーション情報と、ＭＢＭＳセルのＭＣＣＨ変更通知とを、ＵＥのサービング・セルが属する基地局に、ＭＢＭＳセルが属する基地局と、ＵＥのサービング・セルが属する基地局との間のインターフェースを通じて送信するよう構成される。それにより、ＵＥは、ＵＥのサービング・セルが属する基地局を通じて、ＭＢＭＳセルのＭＣＣＨ変更通知のコンフィギュレーション情報を取得し、ＭＢＭＳセルのＭＣＣＨ変更通知のコンフィギュレーション情報に従ってＵＥのサービング・セルのＰＤＣＣＨチャネルにおいてブロードキャストされる、ＭＢＭＳセルのＭＣＣＨ変更通知を監視して、ＭＢＭＳセルのＭＣＣＨが変更されたかどうかを判断する。ＭＢＭＳセルのＭＣＣＨが変更されたと判断した場合、ＵＥは、ＭＢＭＳセルの検出されたＭＣＣＨ変更通知に従ってＭＢＭＳセルのＭＣＣＨを読み取り、ＵＥが受信しているか、または関心のあるＭＢＭＳサービスがブロードキャスト開始されるかどうかを判断し、ＵＥが受信しているか、または関心のあるＭＢＭＳサービスがブロードキャスト開始されると判断した場合、ＵＥは、ＭＢＭＳセルの周波数のセル再選択優先度を最高に設定する。
【００５４】
さらに、ＭＢＭＳセルが、ＵＥがキャンプオン又は在圏するセルである場合、基地局７００はさらに、送信ユニットを備えることができる。送信ユニットは、ＭＣＣＨ変更通知をＵＥに、ＭＢＭＳセルのＰＤＣＣＨチャネルを通じて送信するよう構成される。それにより、ＵＥは、ＭＣＣＨ変更通知に従ってＭＢＭＳセルのＭＣＣＨを読み取り、ＵＥが受信しているか、または関心のあるＭＢＭＳサービスがブロードキャスト開始されるかどうかを判断する。ＵＥが受信しているか、または関心のあるＭＢＭＳサービスがブロードキャスト開始されると判断した場合、ＵＥは、ＭＢＭＳセルの周波数のセル再選択優先度を最高に設定する。
【００５５】
第７の実施形態から第１０の実施形態において、ＵＥは、ＵＥが受信しているか、または関心のあるＭＢＭＳサービスがいつブロードキャスト開始されるかを判断し、次いで、ＵＥが受信しているか、または関心のあるＭＢＭＳサービスを提供しているセルの周波数のセル再選択優先度を最高に設定する。
【００５６】
図８は、本発明の第７の実施形態による概略図である。この実施形態において、セルＡは、ＭＢＭＳセルであり、セルＢは、セルＡの隣接セルであり、セルＢは、ＭＢＭＳセルまたは非ＭＢＭＳセルとすることができる。ステップ８１０では、セルＡのＭＣＣＨ変更通知のコンフィギュレーション情報が変更された場合、セルＡは、セルＡのＭＣＣＨ変更通知が変更されたことを示す指示を、セルＢに、Ｘ２シグナリングを通じて送信する。セルＡのＭＣＣＨ変更通知のコンフィギュレーション情報が変更されたことを示す指示を、セルＡが、セルＢ以外の隣接セルに送信することもできることが理解されよう。ステップ８２０では、セルＢは、セルＡから受信した、ＭＣＣＨ変更通知が変更されたことを示す指示をブロードキャストする。セルＢにキャンプオン又は在圏するＵＥが、セルＢによってブロードキャストされた、ＭＣＣＨ変更通知が変更されたことを示す指示を取得した場合、ステップ８３０では、ＵＥは、セルＡのＭＣＣＨ変更通知のコンフィギュレーション情報を読み取る。ステップ８４０では、ＵＥは、セルＡのＭＣＣＨ変更通知のコンフィギュレーション情報に従って、セルＡのＰＤＣＣＨチャネル内のＭＣＣＨ変更通知を監視する。ステップ８５０では、ＵＥが、セルＡのＭＣＣＨ変更通知を監視する場合、ＵＥは、セルＡのＭＣＣＨを読み取り、次いで、ＵＥが受信しているか、または関心のあるＭＢＭＳサービスのいずれがブロードキャスト開始されるかを判断することができる。さらに、ステップ８６０では、ＵＥが受信しているか、またはブロードキャストされるＭＢＭＳサービスが、セルＡにおいてブロードキャスト開始される場合、ＵＥは、セルＡの周波数のセル再選択優先度を最高に設定し、セル信号の品質に従って、セル選択処理を開始することができる。
【００５７】
図９は、本発明の第８の実施形態による概略図である。図９に示すように、第８の実施形態で提供されるＵＥは、ＭＢＭＳセルのＭＣＣＨ変更通知のコンフィギュレーション情報が変更されたことを示す指示を受信するよう構成された、受信ユニット９１０を備え、ここで、ＭＢＭＳセルは、ＵＥがキャンプオン又は在圏するセルの隣接セルであり、ＵＥはさらに、ＭＢＭＳセルのＭＣＣＨ変更通知のコンフィギュレーション情報を読み取るよう構成された、読取ユニット９２０と、ＭＢＭＳセルのＰＤＣＣＨチャネルにおいてＭＣＣＨ変更通知を監視するよう構成された、監視ユニット９３０と、ＭＢＭＳセルのＭＣＣＨ変更通知が検出された場合、ＭＢＭＳセルのＭＣＣＨを読み取り、ＵＥが受信しているか、または関心のあるＭＢＭＳサービスがブロードキャスト開始されるかどうかを判断するよう構成された、判断ユニット９４０とを備える。さらに、ＵＥは、ＵＥが受信しているか、または関心のあるＭＢＭＳサービスが、セルＡにおいてブロードキャスト開始される場合、セルＡの周波数のセル再選択優先度を最高に設定するよう構成された、設定ユニット９５０をさらに備えることができる。
【００５８】
図１０は、本発明の第９の実施形態による概略図である。この実施形態において、セルＡは、ＭＢＭＳセルであり、セルＢは、セルＡの隣接セルであり、セルＢは、ＭＢＭＳセルまたは非ＭＢＭＳセルとすることができる。ステップ１０１０では、セルＡは、ＭＣＣＨ変更通知のコンフィギュレーション情報と、セルＡのＭＣＣＨ変更通知とをセルＢに、インターフェース・シグナリング（例えば、Ｘ２インターフェース・シグナリング）を通じて送信する。ＭＣＣＨ変更通知のコンフィギュレーション情報と、セルＡのＭＣＣＨ変更通知とを、セルＡが、セルＢ以外の隣接セルに送信することもできることが理解されよう。ステップ１０２０では、セルＢは、セルＡのＭＣＣＨ変更通知のコンフィギュレーション情報をブロードキャストし、さらに、セルＢのＰＤＣＣＨチャネルにおいてセルＡのＭＣＣＨ変更通知をブロードキャストする。ステップ１０３０では、セルＢにキャンプオン又は在圏するＵＥは、セルＢからセルＡのＭＣＣＨ変更通知のコンフィギュレーション情報を受信し、セルＡのＭＣＣＨ変更通知のコンフィギュレーション情報に従って、セルＢのＰＤＣＣＨにおいてブロードキャストされる、セルＡのＭＣＣＨ変更通知を監視し、セルＡのＭＣＣＨが変更されたかどうかを判断する。ステップ１０４０では、セルＡのＭＣＣＨが変更されたと判断した場合、ＵＥは、検出されたＭＣＣＨ変更通知に従って、セルＡのＭＣＣＨを読み取り、ＵＥが受信しているか、または関心のあるＭＢＭＳサービスがブロードキャスト開始されるかどうかを判断する。さらに、ステップ１０５０では、ＵＥが受信しているか、または関心のあるＭＢＭＳサービスが、セルＡにおいてブロードキャスト開始される場合、ＵＥは、セルＡの周波数のセル再選択優先度を最高に設定し、セル信号の品質に従って、セル選択処理を開始する。
【００５９】
図１１は、本発明の第１０の実施形態によるＵＥの概略図である。ＵＥは、ＭＢＭＳセルからＭＣＣＨ変更通知のコンフィギュレーション情報を受信するよう構成された、受信ユニット１１１０と、ＭＢＭＳセルのＭＣＣＨ変更通知のコンフィギュレーション情報に従って、ＵＥのサービング・セルのＰＤＣＣＨを監視し、ＭＢＭＳセルのＭＣＣＨが変更されたかどうかを判断するよう構成された、第１の判断ユニット１１２０と、ＭＢＭＳセルのＭＣＣＨが変更されたと判断された場合、検出されたＭＣＣＨ変更通知に従って、ＭＢＭＳセルのＭＣＣＨを読み取り、ＵＥが受信しているか、または関心のあるＭＢＭＳサービスがブロードキャスト開始されるかどうかを判断するよう構成された、第２の判断ユニット１１３０とを備える。
【００６０】
さらに、ＵＥは、ＵＥが受信しているか、または関心のあるＭＢＭＳサービスが、ＭＢＭＳセルにおいてブロードキャスト開始される場合、ＭＢＭＳセルの周波数のセル再選択優先度を最高に設定するよう構成された、設定ユニット１１４０をさらに備えることができる。ＭＢＭＳセルは、ＵＥのサービング・セルまたは隣接セルとすることができる。ＭＢＭＳセルが、ＵＥのサービング・セルの隣接セルである場合、ＭＢＭＳセルは、ＭＣＣＨ変更通知のコンフィギュレーション情報と、ＭＢＭＳセルのＭＣＣＨ変更通知とをＵＥのサービング・セルに送信する。ＵＥのサービング・セルは、ＭＢＭＳセルのＭＣＣＨ変更通知のコンフィギュレーション情報をブロードキャストし、ＭＣＣＨセルのＭＣＣＨ変更通知のコンフィギュレーション情報に従って、ＵＥのサービング・セルのＰＤＤＣＨにおいてＭＢＭＳセルのＭＣＣＨ変更通知をブロードキャストする。
【００６１】
図１２は、本発明の第１１の実施形態による概略図である。
【００６２】
ステップ１２１０では、ＭＢＭＳセルＡは、ＭＣＥから、ＭＢＭＳサービスのサービス識別情報と、ＭＢＭＳサービスのサービス・エリア識別情報とを受信する。サービス識別情報およびサービス・エリア識別情報は、ＭＣＥから送信された、セッション開始（ｓｅｓｓｉｏｎ  ｓｔａｒｔ）メッセージで搬送することができる。
【００６３】
ステップ１２２０では、ＭＢＭＳセルＡは、受信したサービス識別情報を、サービス・エリア識別情報に従って、非ＭＢＭＳ隣接セル、または、ＭＢＭＳサービスのサービス・エリアに属さない隣接セルに送信し、非ＭＢＭＳ隣接セル、または、ＭＢＭＳサービスのサービス・エリアに属さない隣接セルに、ＭＢＭＳセルＡが、サービス識別情報によって指示されたサービスをブロードキャストすることを通知する。ＭＢＭＳサービスのサービス・エリアに属さない隣接セルとは、サービス・エリア識別情報リストに、ＭＢＭＳサービスのサービス・エリア識別情報が含まれない隣接セルのことである。
【００６４】
さらに、ＭＢＭＳセルＡは、サービス識別情報を送信しながら、または他のモードを使用することによって、ＭＢＭＳセルＡのセル識別子を、隣接セルに送信することができる。一例において、ＭＢＭＳセルＡが属する基地局は、ＭＢＭＳセルＡが属するサービス・エリアのサービス・エリア識別情報リストに従って、ＭＢＭＳサービスのサービス・エリアに属さない隣接セルを判断することができる。
【００６５】
隣接セルがＭＢＭＳセルであるかどうか、または、隣接セルのサービス・エリア識別情報リストがＭＢＭＳサービスのサービス・エリア識別情報を備えているかどうかを判断するために、隣接基地局（例えば、ｅＮＢ）は、事前に、各ＭＢＭＳサービス・エリアのサービス・エリア識別情報のリストを、隣接基地局間でインターフェース（例えば、Ｘ２インターフェース）シグナリングを通じて交換することができる。これらのリストに基づいて、基地局は、隣接セルがＭＢＭＳセルであるかどうか、および、隣接セルのサービス・エリア識別情報リストがＭＢＭＳサービスのサービス・エリア識別情報を備えるかどうかを判断することができる。一例において、基地局は、サービス・エリア識別情報リストがｎｕｌｌであるかどうかに従って、隣接セルがＭＢＭＳセルであるかどうかを判断することができる。
【００６６】
ステップ１２３０では、サービス識別情報を受信した場合、ＵＥのサービング・セルＢは、隣接セル（すなわち、ＭＢＭＳセルＡ）から受信したサービス識別情報に対応するＭＢＭＳサービスが、ＵＥが受信しているか、または関心のあるＭＢＭＳサービスに属するかどうかを判断する。この実施形態において、ＵＥのサービング・セルＢは、ＭＢＭＳセルＡの隣接セルである。
【００６７】
ステップ１２４０では、ＵＥをハンドオーバする場合、ＵＥのサービング・セルＢは、ＵＥが受信しているか、または関心のあるサービスを提供することが可能な隣接セル（この実施形態においてはＭＢＭＳセルＡ）に、ＵＥを優先的にハンドオーバすることができる。サービング・セルＢが、どの隣接セルにＵＥをハンドオーバするかを決定する場合、サービング・セルＢは、複数の要因を参照することができることが理解されよう。この実施形態において、「優先的」とは、他の参照要因が同じか、または基本的に同じである場合、サービングＢが、ＵＥが受信しているか、または関心のあるサービスを提供することが可能な隣接セルに、ＵＥを優先的にハンドオーバするという意味である。
【００６８】
図１３は、本発明の第１２の実施形態による基地局の概略構造図である。基地局は、ＭＣＥからサービス・エリア識別情報と、ＭＢＭＳサービスのサービス識別情報とを受信するよう構成された、受信ユニット１３１０と、ＭＢＭＳサービスのサービス識別情報を、基地局のＭＢＭＳセルの非ＭＢＭＳ隣接セル、またはＭＢＭＳサービスのサービス・エリアに属さない隣接セルに送信するよう構成された、送信ユニット１３２０とを備え、それにより、ＵＥのサービング・セルが、ＭＢＭＳサービスのサービス識別情報を受信して、ＭＢＭＳサービスのサービス識別情報に従って、ＭＢＭＳサービスが、ＵＥが受信しているか、または関心のあるＭＢＭＳサービスに属すると判断した場合、ＵＥのサービング・セルは、ＵＥを、基地局のＭＢＭＳセルにハンドオーバする。
【００６９】
さらに、基地局は、ＭＢＭＳセルの隣接セルが属するサービス・エリアのサービス・エリア識別情報リストを、Ｘ２インターフェース・シグナリングを通じて取得するよう構成されたユニットをさらに備えることができる。さらに、基地局は、ＭＢＭＳセルの隣接セルが属するサービス・エリアのサービス・エリア識別情報リストに従って、ＭＢＭＳセルの非ＭＢＭＳ隣接セルを判断するよう構成されたユニットをさらに備えることができる。さらに、基地局は、ＭＢＭＳセルの隣接セルが属するサービス・エリアのサービス・エリア識別情報リストに従って、ＭＢＭＳサービスのサービス・エリアに属さない隣接セルを判断するよう構成された判断ユニットをさらに備えることができる。
【００７０】
ＭＢＭＳサービスのサービス・エリア識別情報およびＭＢＭＳサービスのサービス識別情報は、ＭＢＭＳセルが属する基地局にＭＣＥが送信するセッション開始メッセージに含んでもよいことが理解されよう。
【００７１】
図１４は、本発明の第１３の実施形態による基地局の概略図である。基地局は、ＭＢＭＳサービスのサービス識別情報を、ＵＥのサービング・セルの隣接セルから受信するよう構成された、受信ユニット１４１０を備えることができ、ここで、ＵＥのサービング・セルは、非ＭＢＭＳセル、または、ＭＢＭＳサービスのサービス・エリアに属さないＭＢＭＳセルであり、基地局はさらに、サービス識別情報に従って、ＭＢＭＳサービスが、ＵＥが受信しているか、または関心のあるＭＢＭＳサービスに属するかどうかを判断するよう構成された、判定ユニット１４２０と、サービス識別情報に対応するＭＢＭＳサービスが、ＵＥが受信しているか、または関心のあるＭＢＭＳサービスに属する場合、ＵＥを、ＭＢＭＳセルにハンドオーバするよう構成された、ハンドオーバ・ユニット１４３０とを備えることができる。
【００７２】
さらに、ＵＥのサービング・セルは、ＵＥのサービング・セルが属するサービス・エリアのサービス・エリア識別情報リストを、ＵＥのサービング・セルの隣接セルが属する基地局に送信するよう構成されたユニットをさらに備えることができる。
【００７３】
本発明によれば、ＭＢＭＳサービスを受信しているか、またはＭＢＭＳサービスに関心のあるＵＥは、ＵＥの周りに対応するサービスを提供することができるセルがある場合のみ、ＭＢＭＳセルの周波数のセル再選択優先度を最高に設定することができる。このようにして、ＵＥの不要なセル再選択を防ぐことができ、ユニキャスト・セル、およびＭＢＭＳ周波数で対応するサービスを提供することができないセルにおける不要な負荷を避けることができる。
【００７４】
本発明によれば、ＵＥは、ＵＥが関心のあるサービスが、いつ隣接セルでブロードキャストされたかを確認し、対応するサービスがブロードキャスト開始される場合に対応するセルに再選択することができ、それにより、ネットワーク負荷を、対応するセルに、早期に加えることを避けることができる。
【００７５】
本発明によれば、セルは、隣接ＭＢＭＳセルがどのようなサービスをブロードキャストしているかを確認することができ、その結果、それらのサービスに関心のあるＵＥを、そのセルにハンドオーバすることができ、それにより、より良質なユーザ体感を提供することができる。
【００７６】
ＭＢＭＳサービスを受信している、およびＭＢＭＳサービスに関心のある、アイドル状態のＵＥが、ＭＢＭＳサービスを提供しているセルの周波数のセル再選択優先度を最高に設定しても、最高優先度は、相対的な意味のみであることに留意されたい。特定の場合において、最高優先度は、相対的に高い優先度を意味する可能性がある。
【００７７】
本発明の主旨および範囲を逸脱することなく、本明細書に記載した本発明に対して、さまざまな変形が可能であることが明らかである。したがって、当業者によってなされる明らかな変形は、特許請求の範囲によって定義される範囲に含まれるべきである。
【００７８】
（関連出願の相互参照）
本出願は、中国特許庁において２０１１年８月１２日に出願された、中国特許出願番号第２０１１１０２３１５５５．３号「ブロードキャスト・マルチキャスト・セルに関する再選択またはハンドオーバのための方法、基地局、およびシステム（ＭＥＴＨＯＤ，ＢＡＳＥ  ＳＴＡＴＩＯＮ  ＡＮＤ  ＳＹＳＴＥＭ  ＦＯＲ  ＲＥＳＥＬＥＣＴＩＯＮ  ＯＲ  ＨＡＮＤＯＶＥＲ  ＴＯ  ＢＲＯＡＤＣＡＳＴ  ＭＵＬＴＩＣＡＳＴ  ＣＥＬＬ）」に対する優先権を主張するものであり、この出願は参照によりその全体が本明細書に組み込まれる。
【図１】
0006034867.tif 000002
【図２】
0006034867.tif 000003
【図３】
0006034867.tif 000004
【図４】
0006034867.tif 000005
【図５】
0006034867.tif 000006
【図６】
0006034867.tif 000007
【図７】
0006034867.tif 000008
【図８】
0006034867.tif 000009
【図９】
0006034867.tif 000010
【図１０】
0006034867.tif 000011
【図１１】
0006034867.tif 000012
【図１２】
0006034867.tif 000013
【図１３】
0006034867.tif 000014
【図１４】
0006034867.tif 000015